【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
インクを吐出する複数の記録素子が配列されて構成される記録素子群を前記記録素子が配列される方向に複数配列してなる記録ヘッドを用い、記録媒体の同一領域に対して異なる記録素子群による前記記録素子が配列される方向とは異なる方向への複数回の記録走査によって画像を形成するインクジェット記録システムにおいて、
前記複数の記録素子群が互いに異なる記録率に従ってインクを吐出するように制御する手段と、
前記記録走査ごとに前記複数の記録素子群の内の少なくとも２つの記録素子群における記録率を変更する記録率変更手段と、
を具備することを特徴とするインクジェット記録システム。
【請求項２】
前記記録率変更手段は、前記記録素子群における記録率として、第１の記録率と、該第１の記録率とは異なる第２の記録率とを、記録走査毎に交互に切り替えることを特徴とする請求項１記載のインクジェット記録システム。
【請求項３】
前記記録率変更手段は、前記複数の記録素子群における記録率の最も高い記録素子群が記録走査ごとに異なるように設定を行うことを特徴とする請求項１または２に記載のインクジェット記録システム。
【請求項４】
前記記録率変更手段は、前記複数の記録素子群のうち、前記記録素子が配列される方向の両端部に位置する記録素子群の記録率をその内側に隣接する記録素子群の記録率よりも小なる値に設定することを特徴とする請求項１乃至３のいずれかに記載のインクジェット記録システム。
【請求項５】
前記複数回の記録走査は、前記記録ヘッドの往路の記録走査と復路の記録走査とを交互に行うことを特徴とする請求項１乃至４のいずれかに記載のインクジェット記録システム。
【請求項６】
インクを吐出する複数の記録素子が配列されて構成される記録素子群を前記記録素子が配列される方向に複数配列してなる記録ヘッドを用い、記録媒体の同一領域に対して異なる記録素子群による前記複数の記録素子が配列される方向とは異なる方向への複数回の記録走査によって画像を形成するインクジェット記録システムにおいて、
前記複数の記録素子群の内の、ある記録素子群と別の記録素子群が互いに異なる記録率に従ってインクを吐出するように制御する手段と、
前記複数回の記録走査のうち、ある記録走査と別の記録走査とで、前記複数の記録素子群の内の少なくとも２つの記録素子群における記録率を変更する記録率変更手段と、
を具備することを特徴とするインクジェット記録システム。
【請求項７】
インクを吐出する複数の記録素子が配列されて構成される記録素子群を前記記録素子が配列される方向に複数配列してなる記録ヘッドを用い、記録媒体の同一領域に対して異なる記録素子群による前記記録素子が配列される方向とは異なる方向への複数回の記録走査によって画像を形成するインクジェット記録システムにおいて、
前記複数の記録素子群それぞれが異なる記録率に従ってインクを吐出するように制御する手段と、
前記複数回の記録走査のうち、ある記録走査と別の記録走査とで、前記複数の記録素子群それぞれに対応する記録率の前記複数の記録素子が配列される方向における分布を変更する記録率変更手段と、を具備することを特徴とするインクジェット記録システム。
【請求項８】
インクを吐出する複数の記録素子が配列されて構成される記録素子群を前記記録素子が配列される方向に複数配列してなる記録ヘッドを用い、記録媒体の同一領域に対して異なる記録素子群による前記記録素子が配列される方向とは異なる方向への複数回の記録走査によって画像を形成するインクジェット記録システムにおいて、
前記複数の記録素子群が互いに異なるマスクパターンに従ってインクを吐出するように制御する手段と、
前記記録走査ごとに前記複数の記録素子群それぞれのマスクパターンを変更するマスクパターン変更手段とを具備し、
前記マスクパターン変更手段は、前記異なる記録素子群のうちの少なくとも２つの記録素子群について、当該記録素子群に対応するマスクパターンの記録率を変更することを特徴とするインクジェット記録システム。
【請求項９】
前記マスクパターン変更手段は、前記記録素子群に対応するマスクパターンとして、第１のマスクパターンと、該第１のマスクパターンとは異なる第２のマスクパターンとを、記録走査毎に交互に切り替えることを特徴とする請求項８に記載のインクジェット記録システム。
【請求項１０】
前記マスクパターン変更手段は、前記複数の記録素子群のうち、記録率の最も高いマスクパターンを対応させる記録素子群が記録走査ごとに異なるように設定を行うことを特徴とする請求項８または９に記載のインクジェット記録システム。
【請求項１１】
前記マスクパターン変更手段は、前記複数の記録素子群のうち、前記記録素子が配列される方向の両端部に位置する記録素子群に対して該記録素子群の内側に隣接する記録素子群よりも低い記録率のマスクパターンを対応させることを特徴とする請求項８乃至１０のいずれかに記載のインクジェット記録システム。
【請求項１２】
前記マスクパターンは、予め記憶手段に格納されている複数のマスクパターンを合成することによって新たに生成されることを特徴とする請求項８乃至１１のいずれかに記載のインクジェット記録システム。
【手続補正２】
【補正対象書類名】明細書
【補正対象項目名】００２０
【補正方法】変更
【補正の内容】
【００２０】
そのために本発明においては、インクを吐出する複数の記録素子が配列されて構成される記録素子群を前記記録素子が配列される方向に複数配列してなる記録ヘッドを用い、記録媒体の同一領域に対して異なる記録素子群による前記記録素子が配列される方向とは異なる方向への複数回の記録走査によって画像を形成するインクジェット記録システムにおいて、前記複数の記録素子群が互いに異なる記録率に従ってインクを吐出するように制御する手段と、前記記録走査ごとに前記複数の記録素子群の内の少なくとも２つの記録素子群における記録率を変更する記録率変更手段と、を具備することを特徴とする。
【手続補正３】
【補正対象書類名】明細書
【補正対象項目名】００２１
【補正方法】変更
【補正の内容】
【００２１】
また、インクを吐出する複数の記録素子が配列されて構成される記録素子群を前記記録素子が配列される方向に複数配列してなる記録ヘッドを用い、記録媒体の同一領域に対して異なる記録素子群による前記複数の記録素子が配列される方向とは異なる方向への複数回の記録走査によって画像を形成するインクジェット記録システムにおいて、前記複数の記録素子群の内の、ある記録素子群と別の記録素子群が互いに異なる記録率に従ってインクを吐出するように制御する手段と、前記複数回の記録走査のうち、ある記録走査と別の記録走査とで、前記複数の記録素子群の内の少なくとも２つの記録素子群における記録率を変更する記録率変更手段と、を具備することを特徴とする。
【手続補正４】
【補正対象書類名】明細書
【補正対象項目名】００２２
【補正方法】変更
【補正の内容】
【００２２】
また、インクを吐出する複数の記録素子が配列されて構成される記録素子群を前記記録素子が配列される方向に複数配列してなる記録ヘッドを用い、記録媒体の同一領域に対して異なる記録素子群による前記記録素子が配列される方向とは異なる方向への複数回の記録走査によって画像を形成するインクジェット記録システムにおいて、前記複数の記録素子群それぞれが異なる記録率に従ってインクを吐出するように制御する手段と、前記複数回の記録走査のうち、ある記録走査と別の記録走査とで、前記複数の記録素子群それぞれに対応する記録率の前記複数の記録素子が配列される方向における分布を変更する記録率変更手段と、を具備することを特徴とする。
【手続補正５】
【補正対象書類名】明細書
【補正対象項目名】００２３
【補正方法】変更
【補正の内容】
【００２３】
また、インクを吐出する複数の記録素子が配列されて構成される記録素子群を前記記録素子が配列される方向に複数配列してなる記録ヘッドを用い、記録媒体の同一領域に対して異なる記録素子群による前記記録素子が配列される方向とは異なる方向への複数回の記録走査によって画像を形成するインクジェット記録システムにおいて、前記複数の記録素子群が互いに異なるマスクパターンに従ってインクを吐出するように制御する手段と、前記記録走査ごとに前記複数の記録素子群それぞれのマスクパターンを変更するマスクパターン変更手段とを具備し、前記マスクパターン変更手段は、前記異なる記録素子群のうちの少なくとも２つの記録素子群について、当該記録素子群に対応するマスクパターンの記録率を変更することを特徴とする。